(57)【要約】【課題】ＣＡＤ表示画面の表示速度の向上を図る。【解決手段】図面管理システムサーバ１は、ＣＡＤ図面、環境ファイル、および、部品ファイルを１つのファイルに圧縮して生成された図面データと、ＣＡＤ図面に変更を加えて図面データを更新するための図面管理システムプログラム５０と、変更のあった部品ファイルの名称を格納する変更履歴ファイル６０と、部品ファイルの変更内容を他の図面データに反映させる変更反映プログラム７０とを有する。ＣＡＤ応用システム図面サーバ２は、図面管理システムサーバ１と同じ図面データを記憶するデータベース５を有している。クライアント端末３−１〜３−ｎは、データベース５から図面データをダウンロードして利用する。図面管理システムプログラム５０で更新された図面データは、図面管理システムサーバ１内とデータベース５内に格納される。【選択図】図１
2006338382.tif 000002
【特許請求の範囲】
【請求項１】
第１のサーバと、上記第１のサーバに接続された第２のサーバと、上記第２のサーバに接続された１以上のクライアント端末とを備え、
上記第１のサーバは、
ＣＡＤ図面、環境ファイル、および、部品ファイルを１つのファイルに圧縮して生成された図面データを保存する図面データ記憶手段と、
上記ＣＡＤ図面を読み込んで上記環境ファイルおよび上記部品ファイルを用いることにより上記ＣＡＤ図面を表示するとともに、上記ＣＡＤ図面に変更を加えて図面データを更新するための図面管理手段と、
変更のあった部品ファイルの名称を格納する変更履歴記憶手段と、
上記変更履歴記憶手段に名称が格納された上記部品ファイルの変更内容を、上記図面データ記憶手段内の他の図面データに反映させる変更反映手段と
を有するもので、
上記第２のサーバは、上記第１のサーバの上記図面データ記憶手段の上記図面データと同一内容の図面データを記憶するデータベースを有するもので、
上記クライアント端末は、上記データベースから上記図面データをダウンロードするダウンロード手段と、ダウンロードされた上記図面データを表示する表示手段とを有するものであって、
上記第１のサーバの上記図面管理手段および上記変更反映手段により生成された上記図面データは、上記第１のサーバの図面データ記憶手段と上記第２のサーバの上記データベースとに格納される
ことを特徴とする図面管理システム。
【請求項２】
第１のサーバと、上記第１のサーバに接続された第２のサーバと、上記第１および第２のサーバに接続された１以上のクライアント端末とを備え、
上記第１のサーバは、
ＣＡＤ図面、環境ファイル、および、部品ファイルを１つのファイルに圧縮して生成された図面データを保存する図面データ記憶手段と、
変更のあった部品ファイルの名称を格納する変更履歴記憶手段と、
上記変更履歴記憶手段に名称が格納された上記部品ファイルの変更内容を、上記図面データ記憶手段内の他の図面データに反映させる変更反映手段と
を有するものであって、
上記第２のサーバは、上記第１のサーバの上記図面データ記憶手段の上記図面データと同一の図面データを格納するデータベースを有するものであって、
上記クライアント端末は、
上記データベースから上記図面データをダウンロードするダウンロード手段と、
上記図面データの上記環境ファイルおよび上記部品ファイルを用いることにより上記ＣＡＤ図面を表示するとともに、上記ＣＡＤ図面に変更を加えて上記図面データを更新するための図面管理手段と
を有するものであって、
上記クライアント端末の上記図面管理手段および上記第１のサーバの上記変更反映手段により生成された上記図面データは、上記第１のサーバの図面データ記憶手段と上記第２のサーバの上記データベースとに格納される
ことを特徴とする図面管理システム。
【請求項３】
上記第１のサーバは、変更のあった部品ファイルを検索して抽出し、上記部品ファイルの名称を上記変更履歴記憶手段に格納する変更内容自動抽出手段をさらに備えたことを特徴とする請求項１または２に記載の図面管理システム。
【請求項４】
上記第１のサーバは、上記変更反映手段の実行時間を管理する第１のタイマー手段をさらに備えたことを特徴とする請求項１ないし３のいずれか１項に記載の図面管理システム。
【請求項５】
上記第１のサーバは、上記変更内容自動抽出手段の実行時間を管理する第２のタイマー手段をさらに備えたことを特徴とする請求項３または４に記載の図面管理システム。
【発明の詳細な説明】
【技術分野】
【０００１】
この発明は図面管理システムに関し、特に、ＣＡＤ図面を利用した大規模なＣＡＤ応用システムにおいて、ＣＡＤ図面の変更管理や保守業務を自動化する図面管理システムに関するものである。
【背景技術】
【０００２】
現在、プラントの構成を記載した配管系統図や電気回路図、建屋の構造図や設備の配置図をＣＡＤ化したＣＡＤ図面を、設備情報や保守履歴等の様々なデータを検索／利用するための入口として使用するＣＡＤ応用システムが導入され、業務の効率化や情報管理のツールとして利用される機会が増加している。
【０００３】
従来のシステムにおいては、ＣＡＤシステムに用いる部品データ、図形データ、図面データ又はシンボルデータ等のデータを大容量メモリ装置に記憶させておき、パソコンに当該データを検索するためのインデックスを記憶させて、大容量メモリから該データを取り出す構成となっている（例えば、特許文献１参照。）。
【０００４】
また、他の従来のシステムとして、ＣＡＤの名称と拡張子の組み合わせを記述した環境ファイルを記憶手段に記憶し、記憶した環境ファイルをシステムの起動時に読み込んで環境ファイル解釈手段で解釈し、解釈されたファイル内容のうち特定の内容を指定して選択し、選択した内容にファイル名を作成してデータベースに登録するデータベース構築装置がある（例えば、特許文献２参照。）。
【０００５】
【特許文献１】特開平１−１４５７７４号公報
【特許文献２】特開２０００−５７０２９号公報
【発明の開示】
【発明が解決しようとする課題】
【０００６】
上記の特許文献１に記載された従来のシステムにおいては、大容量メモリ装置上で環境ファイルや部品ファイルを一元管理しているため、ＣＡＤ図面をクライアント端末で表示するためには、クライアント端末が、インデックスを用いて大容量メモリ装置から必要な環境ファイルや部品ファイルを検索して引き出して参照しなければならないので、ＣＡＤ図面の表示速度が遅くなってしまうという問題点があった。
【０００７】
上記の特許文献２に記載された従来のシステムにおいても、同様に、ＣＡＤ図面のデータや環境ファイルがデータベース上で管理されているので、ＣＡＤ図面をクライアント端末で表示するためには、必要な環境ファイルや部品ファイルを検索して引き出して参照しなければならないので、ＣＡＤ図面の表示速度が遅くなってしまうという問題点があった。
【０００８】
この発明はかかる問題点を解決するためになされたものであり、ＣＡＤ図面、環境ファイル、部品ファイルを１つのファイルに圧縮して生成された図面データを保存するようにし、各クライアント端末がその図面データをダウンロードするようにして、環境ファイルや部品ファイルを検索してダウンロードする手間を不要とし、ＣＡＤ図面の表示速度の向上を図ることができる図面管理システムを得る事を目的とする。
【課題を解決するための手段】
【０００９】
この発明は、第１のサーバと、上記第１のサーバに接続された第２のサーバと、上記第２のサーバに接続された１以上のクライアント端末とを備え、上記第１のサーバは、ＣＡＤ図面、環境ファイル、および、部品ファイルを１つのファイルに圧縮して生成された図面データを保存する図面データ記憶手段と、上記ＣＡＤ図面を読み込んで上記環境ファイルおよび上記部品ファイルを用いることにより上記ＣＡＤ図面を表示するとともに、上記ＣＡＤ図面に変更を加えて図面データを更新するための図面管理手段と、変更のあった部品ファイルの名称を格納する変更履歴記憶手段と、上記変更履歴記憶手段に名称が格納された上記部品ファイルの変更内容を、上記図面データ記憶手段内の他の図面データに反映させる変更反映手段とを有するもので、上記第２のサーバは、上記第１のサーバの上記図面データ記憶手段の上記図面データと同一内容の図面データを記憶するデータベースを有するもので、上記クライアント端末は、上記データベースから上記図面データをダウンロードするダウンロード手段と、ダウンロードされた上記図面データを表示する表示手段とを有するものであって、上記第１のサーバの上記図面管理手段および上記変更反映手段により生成された上記図面データは、上記第１のサーバの図面データ記憶手段と上記第２のサーバの上記データベースとに格納される図面管理システムである。
【発明の効果】
【００１０】
この発明は、第１のサーバと、上記第１のサーバに接続された第２のサーバと、上記第２のサーバに接続された１以上のクライアント端末とを備え、上記第１のサーバは、ＣＡＤ図面、環境ファイル、および、部品ファイルを１つのファイルに圧縮して生成された図面データを保存する図面データ記憶手段と、上記ＣＡＤ図面を読み込んで上記環境ファイルおよび上記部品ファイルを用いることにより上記ＣＡＤ図面を表示するとともに、上記ＣＡＤ図面に変更を加えて図面データを更新するための図面管理手段と、変更のあった部品ファイルの名称を格納する変更履歴記憶手段と、上記変更履歴記憶手段に名称が格納された上記部品ファイルの変更内容を、上記図面データ記憶手段内の他の図面データに反映させる変更反映手段とを有するもので、上記第２のサーバは、上記第１のサーバの上記図面データ記憶手段の上記図面データと同一内容の図面データを記憶するデータベースを有するもので、上記クライアント端末は、上記データベースから上記図面データをダウンロードするダウンロード手段と、ダウンロードされた上記図面データを表示する表示手段とを有するものであって、上記第１のサーバの上記図面管理手段および上記変更反映手段により生成された上記図面データは、上記第１のサーバの図面データ記憶手段と上記第２のサーバの上記データベースとに格納される図面管理システムであるので、ＣＡＤ図面、環境ファイル、部品ファイルを１つのファイルに圧縮して生成された図面データを保存するようにし、各クライアント端末がその図面データをダウンロードするようにして、環境ファイルや部品ファイルを検索してダウンロードする手間を不要とし、ＣＡＤ図面の表示速度の向上を図ることができる。
【発明を実施するための最良の形態】
【００１１】
実施の形態１．
図１は、この発明の実施の形態１におけるＣＡＤ応用システムおよび図面管理システムの構成図である。図１において、図面管理システムサーバ１（第１のサーバ）、ＣＡＤ応用システム図面サーバ２（第２のサーバ）、および、ｎ個のクライアント端末３−１，３−２，・・・，３−ｎが、ＩＰネットワーク網４に接続されている。図面管理システムサーバ１のハードディスク等から構成される記憶装置（図示せず）には、ＣＡＤ図面をメンテナンスするための図面管理手段である図面管理システムプログラム５０と、マスタ部品ファイル群２０内の変更があった部品ファイル２１〜２５や環境ファイル１０を他の図面に反映する変更反映手段である変更反映プログラム７０と、環境ファイル１０と、複数の部品ファイル２１〜２５を含むマスタ部品ファイル群２０と、環境情報格納形式で生成されたＣＡＤ図面ファイルである図面Ａ（符号３０Ａ）および図面Ｂ（符号３０Ｂ）と、変更があった部品ファイル２１〜２５や環境ファイルのファイル名を格納する変更履歴記憶手段である変更履歴ファイル６０とが格納されている。また、ＣＡＤ応用システム図面サーバ２のデータベース５には、図面管理システムサーバ１上に格納されているものと同じ図面Ａ（符号３０Ａ）と図面Ｂ（符号３０Ｂ）とが格納されている。また、クライアント端末３−１〜３−ｎには、ＣＡＤ応用システム図面サーバ２のデータベース５に格納されている図面をダウンロードして利用するためのダウンロード手段であるＣＡＤ応用システムプログラム４０が格納されている。
【００１２】
次に、この発明の実施の形態１におけるＣＡＤ応用システムおよび図面管理システムの動作について説明する。図１において、クライアント端末３−１〜３−ｎ上で図面Ａ（符号３０Ａ）および図面Ｂ（符号３０Ｂ）を利用する場合は、それぞれのＣＡＤ応用システムプログラム４０がＣＡＤ応用システム図面サーバ２のデータベース５に格納されている図面データ（図面Ａ（符号３０Ａ）や図面Ｂ（符号３０Ｂ））をＣＡＤ応用システム図面サーバ２からクライアント端末３−１〜３−ｎにダウンロードして利用する。クライアント端末３−１〜３−ｎには、従来のような環境ファイルや部品ファイルは存在せず、図面データのみのダウンロードで、ＣＡＤ応用システムプログラム４０が図面を利用することができる。
【００１３】
ここで図面データに修正が発生した場合について説明する。例えば図面Ａ（符号３０Ａ）に修正が発生した場合には、図面管理システムサーバ１の図面管理システムプログラム５０を使用して図面Ａ（符号３０Ａ）を表示して修正を行う。図面管理システムプログラム５０は、図面Ａ（符号３０Ａ）のＣＡＤ図面Ａ（符号３１Ａ）を取り出し、図面管理システムサーバ１上の環境ファイル１０を参照し、また、マスタ部品ファイル群２０を読み込む事で、ＣＡＤ図面Ａ（符号３１Ａ）を表示する。例えば、ＣＡＤ図面Ａ（符号３１Ａ）の修正において、新たな部品ファイル２５を新規作成し、ＣＡＤ図面Ａ（符号３１Ａ）に使用した場合は、更新された図面データの保存時に、図面管理システムプログラム５０は、ＣＡＤ図面Ａ（符号３１Ａ）、環境ファイル１０、および、必要な部品ファイル（例えば、部品ファイル２１，２４，２５）を１つのファイルにまとめて圧縮し、図面Ａ（符号３１Ａ）を生成して図面管理システムサーバ１に保存する。生成された図面Ａ（符号３１Ａ）は、ＣＡＤ応用システムサーバ２のデータベース５に格納され、クライアント端末３−１〜３−ｎで利用可能となる。このように、図面データを環境情報格納形式で生成する図面管理システムプログラム５０を導入してＣＡＤ応用システムを構築する事で、新たな部品ファイルが発生しても、各々のクライアント端末３−１〜３−ｎに環境ファイルや部品ファイルを配信することなく、常に最新の図面データを利用する事が可能となる。尚、本発明は、部品ファイルの新規追加のみだけではなく、部品ファイルの修正や環境ファイル１０の追加／変更に対しても適用可能であり、その場合も同様の効果が得られる。
【００１４】
また、図面Ａ（符号３０Ａ）の修正においてマスタ部品ファイル群２０の部品ファイル（例えば、部品ファイル２１として以下説明する。）や環境ファイル１０に変更が発生した場合は、部品ファイル２１を使用している図面管理システムサーバ１上の他の図面データに、変更内容を反映する必要がある。この場合は、図面Ａ（符号３０Ａ）の修正完了後、操作者が、変更が発生した部品ファイルや環境ファイルのファイル名称を変更履歴ファイル６０に記載して保存する。その後、図面管理システムサーバ１上の変更反映プログラム７０を実行させる事で、変更反映プログラム７０は、変更履歴ファイル６０を参照し、図面管理システムサーバ１上に格納されている全ての図面データから、変更があったファイル、すなわち、部品ファイル２１が含まれる図面を検索／抽出する。変更があった部品ファイル２１が含まれる図面が存在した場合は、その変更された部品ファイル２１を取得し、再度、図面データを環境情報格納形式で再生成し、図面管理システムサーバ１内に保存するとともに、ＣＡＤ応用システム図面サーバ２のデータベース５に格納する。これにより、変更があった部品ファイル２１をクライアント端末３−１〜３−ｎに配信する作業を実施することなく、全ての図面に変更内容を反映することが可能となり、図面データのメンテナンス作業にかかる時間を軽減できる効果が得られる。なお、変更反映プログラム７０は、操作者からの指示入力により反映処理を開始するようにしてもよく、あるいは、変更履歴ファイル６０が更新されたときに反映処理を開始するようにしてもよい。
【００１５】
以上のように、本実施の形態においては、大規模なＣＡＤ応用システムにおいても、ＣＡＤ図面の変更管理を図面管理システムサーバで行って、変更された図面データ（含、環境ファイルおよび部品ファイル）を図面管理システムサーバ１およびＣＡＤ応用システム図面サーバ２のデータベース５に格納するようにしたので、数百〜数千台のクライアント端末に差分ファイルを配信する必要がなくなり、クライアント端末上では、常に最新かつ正常なＣＡＤ図面が利用可能となる。また、１つの図面データの環境ファイルや部品ファイルの変更や新規追加において、変更履歴ファイル６０に変更が発生した部品ファイルまたは環境ファイルのファイル名を記載することにより、変更反映プログラム７０が他の図面データにもその変更を反映させる構成にしたので、各クライアント端末に差分ファイルを配信する必要がなくなり、クライアント端末上では、常に最新かつ正常なＣＡＤ図面が利用可能となる。さらに、変更履歴を図面管理システムサーバ１で一元管理しているので、クライアント端末の増設を容易に実現する事が可能となり、システム管理者の保守業務における負担を軽減することができる。また、ＣＡＤ図面の形式を環境情報格納形式とすることで、ダウンロード時に、図面データとともに、必要な分の部品ファイルや環境ファイルがダウンロードされてくるので、それだけで、すぐに図面データを利用できるので、環境ファイルや部品ファイルを各クライアント端末にあらかじめ格納する手間を省くことが出来、ＣＡＤ図面の表示速度を向上（短縮）させることができる。
【００１６】
実施の形態２．
本実施の形態は、上記実施の形態１で図面管理システムサーバ１上の図面管理システムプログラム５０（図１）を用いて実施していた図面データのメンテナンスを、各クライアント端末３−１〜３−ｎで実施する構成にしたものである。図２に示すように、本実施の形態においては、各クライアント端末３−１〜３−ｎに、図面データの環境ファイルおよび部品ファイル２１〜２５を用いてＣＡＤ図面を表示して、該ＣＡＤ図面に変更を加えるための図面管理手段である端末用図面管理システムプログラム５１が格納されている。他の構成については、図１と同じであるため、ここではその説明を省略する。
【００１７】
図２の構成では、図面のメンテナンスを実施する際には、各クライアント端末３−１〜３−ｎ上の端末用図面管理システムプログラム５１を実行する事で実施する。ＣＡＤ応用システム図面サーバ２のデータベース５から、修正する図面データ（例えば図面Ａ（３０Ａ））をクライアント端末３−１〜３−ｎにダウンロードする。端末用図面管理システムプログラム５１は、ダウンロードされた図面Ａ（３０Ａ）からＣＡＤ図面Ａ（３１Ａ）を取り出すとともに、環境ファイル１０とマスタ部品ファイル群２０の部品ファイル２１〜２５をＩＰネットワーク網４を介して図面管理システムサーバ１から読み込んで、ＣＡＤ図面Ａ（符号３１Ａ）を表示する。なお、あるいは、図面Ａ（符号３０Ａ）内に含まれている環境ファイル１０とマスタ部品ファイル群２０の部品ファイル２１〜２５を用いるようにしてもよい。ここで部品ファイル２１〜２５や環境ファイル１０に追加／変更が発生した場合は、その変更内容は、端末用図面管理システムプログラム５１により自動的に図面管理システムサーバ１上のマスタ部品ファイル群２０および環境ファイル１０に反映される。ＣＡＤ図面Ａ（符号３１Ａ）のメンテナンスが終了した際は、端末用図面管理システムプログラム５１がクライアント端末３−１〜３−ｎ上に最新の環境情報格納形式の図面ファイル（図面Ａ（符号３０Ａ））を再生成し、図面管理システムサーバ１とＣＡＤ応用システム図面サーバ２のデータベース５に図面Ａ（符号３０Ａ）を格納する。
【００１８】
以上のように、本実施の形態によれば、実施の形態１と同様の効果が得られると共に、クライアント端末に端末用図面管理システムプログラム５１を格納することにより、図面のメンテナンスが、任意のクライアント端末上で実施できるという効果が得られる。
【００１９】
なお、図１に示すように、図面管理システムサーバ１にも図面管理システムプログラム５０を格納しておいて、図面のメンテナンスを図面管理システムサーバ１とクライアント端末３−１〜３−ｎとの両方から実施可能な構成としておいて、適宜、切り換えて、いずれかでメンテナンスを行うようにしてもよい。
【００２０】
実施の形態３．
本実施の形態は、図３に示すように、実施の形態２の構成に対して、変更内容自動抽出プログラム８０を図面管理システムサーバ１に追加して、マスタ部品ファイル群２０の部品ファイルの変更履歴を格納する変更履歴ファイル６０を自動的に作成するようにしたものである。実施の形態１および２では、マスタ部品ファイル群２０の部品ファイルで変更が発生した場合は、操作者が変更履歴ファイル６０に、変更が発生したマスタ部品ファイル群２０の部品ファイルのファイル名を登録していた。しかしながら、人（操作者）が介在する場合、変更履歴ファイル６０に登録するファイル名に入力ミスもしくは入力漏れが発生する可能性があり、マスタ部品ファイル群２０の部品ファイル２１〜２５の変更内容が正確に他の図面に反映されないケースが発生する。このような人的なミスを防止するため、本実施の形態においては、図面管理システムサーバ１上のマスタ部品ファイル群２０の部品ファイルの格納方法を改善し、変更履歴ファイル６０を自動的に生成する構成とする。
【００２１】
そのため、図３の構成においては、図面管理システムサーバ１に変更内容自動抽出プログラム８０を格納している。変更内容自動抽出プログラム８０は、変更のあった部品ファイルの名称を抽出して、変更履歴ファイル６０に格納するためのプログラムである。図４は、図面管理システムサーバ１の内部を示したものである。マスタ部品ファイル群２０は、新規部品ファイル格納エリア２０Ａと既存部品ファイル格納エリア２０Ｂに分割する。これまでに作成された既存の部品ファイルの名称は既存部品ファイル格納エリア２０Ｂに格納されており、クライアント端末３−１〜３−ｎで修正された部品ファイルの名称は新規部品ファイル格納エリア２０Ａに格納される仕組みとする。
【００２２】
次に、上記実施の形態３の動作を図５を参照しながら説明する。クライアント端末３−１で図面を修正し、その中で部品ファイル２１を修正し、保存したとする（ステップＦ０１〜Ｆ０３）。修正された部品ファイル２１は、図面管理システムサーバ１のマスタ部品ファイル群２０の新規部品ファイル格納エリア２０Ａに格納される（ステップＦ０４）。次に、クライアント端末３−１は、修正された部品ファイル２１を他の図面に反映するために、図面管理システムサーバ１上の変更内容自動抽出プログラム８０を起動する（ステップＦ０５）。すると、図面管理システムサーバ１上の変更内容自動抽出プログラム８０は、新規部品ファイル格納エリア２０Ａの内容を参照し、修正された部品ファイルの名称を変更履歴ファイル６０に書き出す（ステップＦ０６）。次に、クライアント端末３−１は、図面管理システムサーバ１上の変更反映プログラム７０を起動する（ステップＦ０７）。変更反映プログラム７０では、変更履歴ファイル６０の新規部品ファイル格納エリア２０Ａの内容を参照し、変更された部品ファイル２１が使用されている他の図面データの有無を検索し、変更対象図面を抽出する（ステップＦ０８）。変更対象図面が存在する場合は、変更された部品ファイル２１を用いて、対象図面を再度、環境情報格納形式ファイルで再生成し、図面管理システムサーバ１内およびＣＡＤ応用システム図面サーバ２のデータベース５に保存する（ステップＦ１０〜Ｆ１２）。次に、図面管理システムサーバ１は、新規部品ファイル格納エリア２０Ａに格納されている部品ファイル２１を、既存部品ファイル格納エリア２０Ｂに移動すると共に、変更履歴ファイル６０の内容をクリアする（ステップＦ１３〜Ｆ１４）。尚、ステップＦ０９で変更対象図面が存在しない場合は、ステップＦ１３にスキップし、ステップＦ１３とＦ１４の処理を実行する。
【００２３】
以上のように、この実施の形態によれば、上記の実施の形態１と同様の効果が得られるとともに、さらに、変更履歴ファイル６０に登録する内容を変更内容自動抽出プログラム８０によって自動的に抽出する事により、人による変更部品ファイル名の登録ミスを防止する事が可能となり、部品ファイルの内容を確実に他の図面に反映する事ができる。
【００２４】
実施の形態４．
図６は、実施の形態３の構成に対して、マスタ部品ファイル群２０の部品ファイル２１〜２５の変更内容の反映、すなわち、変更内容自動抽出プログラム８０と変更反映プログラム７０の実行をタイマープログラム９０（第１および第２のタイマー手段）によって、定期的な周期で実行するように改善したものである。
【００２５】
上述の実施の形態３では、変更内容自動抽出プログラム８０と変更反映プログラム７０はクライアント端末３−１〜３−ｎで図面を修正した操作者が実行する形式としている。人（操作者）が介在する事によって、変更内容自動抽出プログラム８０や変更反映プログラム７０の実行を忘れるなどのミスが考えられるが、実施の形態４ではマスタ部品ファイル群２０の変更内容の反映を自動的に実施する事によって、更に確実な変更内容の反映を実施するものである。
【００２６】
次に、実施の形態４の動作について説明する。クライアント端末で修正されたマスタ部品ファイル群２０の部品ファイル２１〜２５は、図面管理システムサーバ１の新規部品ファイル格納エリア２０Ａに格納される。また、図面管理システムサーバ１では、タイマープログラム９０が動作しており、定期的な周期で、変更内容自動抽出プログラム８０と変更反映プログラム７０を実行する。このように、変更されたマスタ部品ファイル群２０の部品ファイル２１〜２５の他図面への反映をタイマープログラム９０で管理して一定周期で実行することで、操作者による反映漏れを防止する。
【００２７】
以上のように、本実施の形態においては、実施の形態３と同様の効果を奏するとともに、さらに、図面管理システムサーバ１では、タイマープログラム９０が動作しており、定期的な周期で、変更内容自動抽出プログラム８０と変更反映プログラム７０を実行して、変更された部品ファイル２１〜２５の他図面への反映を自動的に一定周期で実施することで、操作者による反映漏れを防ぐことができるという効果がある。
【００２８】
なお、変更内容自動抽出プログラム８０と変更反映プログラム７０との実行のタイミングは同じでもよいが、当然ながら同じでなくてもよく、どちらの実行を先に行うかは適宜決定してよいものとする。
【図面の簡単な説明】
【００２９】
【図１】本発明の実施の形態１に係る図面管理システムの構成を示したブロック図である。
【図２】本発明の実施の形態２に係る図面管理システムの構成を示したブロック図である。
【図３】本発明の実施の形態３に係る図面管理システムの構成を示したブロック図である。
【図４】本発明の実施の形態３に係る図面管理システムにおける図面管理システムサーバの構成を示したブロック図である。
【図５】本発明の実施の形態３に係る図面管理システムの動作を示した流れ図である。
【図６】本発明の実施の形態４に係る図面管理システムの構成を示したブロック図である。
【符号の説明】
【００３０】
１  図面管理システムサーバ、２  ＣＡＤ応用システム図面サーバ、３−１，３−２，３−ｎ  クライアント端末、４  ＩＰネットワーク網、５  データベース、１０  環境ファイル、２０  マスタ部品ファイル群、２１，２２，２３，２４，２５  部品ファイル、３０Ａ  図面Ａ、３０Ｂ  図面Ｂ、３１Ａ  ＣＡＤ図面Ａ、３１Ｂ  ＣＡＤ図面Ｂ、４０  ＣＡＤ応用システムプログラム、５１  端末用図面管理システムプログラム、６０  変更履歴ファイル、７０  変更反映プログラム、８０  変更内容自動抽出プログラム、９０  タイマープログラム。
【図１】
2006338382.tif 000003
【図２】
2006338382.tif 000004
【図３】
2006338382.tif 000005
【図４】
2006338382.tif 000006
【図５】
2006338382.tif 000007
【図６】
2006338382.tif 000008